(57)【特許請求の範囲】
【請求項１】
腹部に巻いて用いる腹部ベルトであって、
内部に空気を注入することにより膨らませることが可能な膨張部と、
この膨張部が配設され、前記膨張部を腹部に当てて胴体に巻くことにより、前記膨張部を腹部に対して押し当てる押し当て部と、
前記膨張部に空気を注入するための注入手段とを備え、
前記膨張部は、周方向の長さが１５ｃｍから４０ｃｍであり、幅方向の長さが５ｃｍから３０ｃｍであり、
前記押し当て部は、前記膨張部が配設され、胴体に巻き付けられる帯状の巻き付け部と、この巻き付け部を胴体に巻き付けた状態に固定する固定部とを有し、
前記巻き付け部は、本体部と、この本体部の胴体側に設けられた緩衝部材よりなるクッション部とを有し、
前記固定部は、前記巻き付け部に対して配設された環状の挿通部に挿通されることにより、前記巻き付け部に対して移動可能に配設され、前記巻き付け部の外側から胴体に巻き付けられる帯状の締め付け部と、この締め付け部の一端側と他端側とを結合する結合部とを有し、
腸内に空気を入れて検査又は手術を行う際に腹部に巻いて用いる
ことを特徴とする腹部ベルト。
【発明の詳細な説明】
【技術分野】
【０００１】
本発明は、腹部を押さえる腹部ベルトに関する。
【背景技術】
【０００２】
内視鏡を用いた大腸の検査や手術では、例えば、大腸の内壁がよく見えるように、大腸内に空気を入れて行われる。このため、患者はお腹が膨らみ、痛みを感じるなどの不快な思いをしてしまう。そこで、現在は、看護師が患者のお腹を押さえるなどして、膨らみを押さえるようにしているが、あまり効果がなく、患者の負担となっている。なお、従来は、腰痛を緩和するためのベルトは多数開発されており（例えば、特許文献１参照）、実際においても利用されている。しかしながら、腰痛緩和と腹部の膨らみ防止とでは、目的・機能が全く異なり、例えば、特許文献１に記載のベルトでは腹部の膨らみを抑制することはできなかった。
【先行技術文献】
【特許文献】
【０００３】
【特許文献１】特開２０１３−５９２９号公報
【発明の概要】
【発明が解決しようとする課題】
【０００４】
本発明は、このような問題に基づきなされたものであり、お腹の膨らみによる痛みを緩和することができる腹部ベルトを提供することを目的とする。
【課題を解決するための手段】
【０００５】
本発明の腹部ベルトは、腹部に巻いて用いるものであって、内部に空気を注入することにより膨らませることが可能な膨張部と、この膨張部が配設され、膨張部を腹部に当てて胴体に巻くことにより、膨張部を腹部に対して押し当てる押し当て部と、膨張部に空気を注入するための注入手段とを備えたものである。
【発明の効果】
【０００６】
本発明によれば、空気を注入することにより膨らませることが可能な膨張部を押し当て部に配設し、押し当て部を胴体に巻くことにより、膨張部を腹部に押し当てることができるようにしたので、例えば、腸内に空気を入れて検査又は手術を行う際に胴体に巻き、膨張部に空気を注入することにより、腹部の膨らみに応じて腹部を圧迫し、腹部の膨らみを押さえることができる。よって、腸内に空気を入れて検査又は手術を行う際に、腹部が膨らむことによる痛みを緩和することができ、不快感を緩和することができる。
【０００７】
また、押し当て部は、膨張部が配設され、胴体に巻き付けられる帯状の巻き付け部と、この巻き付け部を胴体に巻き付けた状態に固定する固定部とを有するように構成し、巻き付け部は、本体部と、この本体部の胴体側に設けられた緩衝部材よりなるクッション部とを有するようにすれば、巻き付け部を胴体に巻いた時の付け心地を柔らかく、付け心地をよくすることができる。
【０００８】
更に、固定部は、巻き付け部の外側から胴体に巻き付けられる帯状の締め付け部と、この締め付け部の一端側と他端側とを結合する結合部とを有するように構成し、締め付け部を巻き付け部に対して移動可能に配設するようにすれば、巻き付け部を胴体に対して強固に固定することができると共に、結合部を結合しやすい位置に移動させて結合することができる。
【図面の簡単な説明】
【０００９】
【図１】本発明の一実施の形態に係る腹部ベルトを内側から見た構成を表す図である。
【図２】図１に示した腹部ベルトを外側から見た構成を表す図である。
【図３】図１に示した腹部ベルトを上方から見た構成を表す図である。
【発明を実施するための形態】
【００１０】
以下、本発明の実施の形態について図面を参照して詳細に説明する。
【００１１】
図１は、本発明の一実施の形態に係る腹部ベルト１を内側から見た構成を表すものであり、図２は、外側から見た構成を表すものであり、図４は、上方から見た構成を表すものである。
【００１２】
この腹部ベルト１は、例えば、腸内に空気を入れて検査又は手術を行う際に、腹部に巻いて用いるものである。腹部ベルト１は、例えば、内部に空気を注入することにより膨らませることが可能な膨張部１０と、この膨張部１０が配設され、膨張部１０を腹部に当てて胴体に巻くことにより、膨張部１０を腹部に対して押し当てる押し当て部２０とを備えている。
【００１３】
膨張部１０には、膨張部１０に空気を注入するための注入手段３０が配設されている。注入手段３０は、例えば、手動のポンプ３１により構成され、ポンプ３１はゴムチューブなどの管３２により膨張部１０に接続されている。ポンプ３１には、例えば、空気抜き栓３３が設けられている。膨張部１０は、例えば、注入手段３０が取り付けられた密閉袋を外装体で覆った構成とされており、外装体の一部を押し当て部２０に対して縫い付けることにより配設されている。膨張部１０の長手方向（Ｘ方向）の長さ、すなわち胴体の周方向の長さは、例えば、１５ｃｍから４０ｃｍ程度であることが好ましい。膨張部１０の幅方向（Ｙ方向）の長さは、例えば、５ｃｍから３０ｃｍ程度であることが好ましい。
【００１４】
押し当て部２０は、例えば、膨張部１０が配設され、胴体に巻き付けられる帯状の巻き付け部２１と、この巻き付け部２１を胴体に巻き付けた状態に固定する固定部２２とを有している。巻き付け部２１は、例えば、長手方向（Ｘ方向）の長さが、少なくとも腹部の周方向に対応する長さよりも長くなるように形成されている。膨張部１０により腹部を十分に押さえることができるようにするためである。また、巻き付け部２１の長手方向（Ｘ方向）の長さは、胴体を周方向に２／３以上巻くことができる長さとすればより好ましい。安定して腹部に装着することができるからである。巻き付け部２１の幅方向（Ｙ方向）の長さは、例えば、５ｃｍから３０ｃｍ程度であることが好ましい。
【００１５】
巻き付け部２１は、例えば、本体部２１Ａと、この本体部２１Ａの胴体側に設けられた緩衝部材よりなるクッション部２１Ｂとを有していることが好ましい。胴体に巻いた時の付け心地を柔らかくするためである。緩衝部材としては、例えば、発泡ウレタン、発泡スチロール、合成ゴム、又は、綿などが好ましく挙げられる。また、本体部２１のクッション部２１Ｂと反対側、すなわち本体部２１の外側には、例えば、本体部２１Ａよりも幅方向（Ｙ方向）の長さが短く、長手方向に伸長された補強部材２１Ｃが設けられていることが好ましい。本体部２１Ａを柔らかい材料で形成しても補強部材２１Ｃにより十分な強度を得ることができるので、胴体に巻きつけた時の付け心地をより柔らかくすることができるからである。
【００１６】
固定部２２は、例えば、巻き付け部２１の外側から胴体に巻き付けられる帯状の締め付け部２２Ａと、この締め付け部２２Ａの一端側と他端側とを結合する結合部２２Ｂとを有している。絞め付け部２２Ａは、例えば、一方の端部を折り返すことにより一端側が形成されており、一方の端部の折り返し位置を変えることにより長さを調節することができるようになっている。絞め付け部２２Ａは、例えば、巻き付け部２１に対して配設された環状の挿通部２１Ｄに挿通されることにより、巻き付け部２２Ａに対して移動可能に配設されている。
【００１７】
絞め付け部２２Ａの幅方向（Ｙ方向）の長さは、本体部２１Ａの幅方向（Ｙ方向）の長さよりも短いことが好ましく、補強部材２１Ｃの幅方向（Ｙ方向）の長さよりも短いことが好ましい。また、絞め付け部２２Ａの幅方向（Ｙ方向）の長さは、例えば、２ｃｍ以上であることが好ましい。胴体への食い込みを防止するためである。結合部２２Ｂは、例えば、絞め付け部２２Ａの一端側と他端側にそれぞれ配設された一対の結合バックルにより構成されている。
【００１８】
この腹部ベルト１は、例えば、膨張部１０を腹部に当てて、押し当て部２０を胴体に巻き付け、固定部２２により固定する。その際、絞め付け部２２Ａを挿通部２１Ｄに挿通させた状態で長手方向に移動させ、結合部２２Ｂを結合させやすい位置で結合させる。そののち、注入手段３０により膨張部１０に空気を注入し、図３において破線で示したように膨張させ、腹部を圧迫する。これにより、腸内に空気を入れて検査又は手術を行っても、腹部の膨らみが押さえられる。また、検査や手術の位置により腹部の膨らみ具合が異なっても、膨らみに応じて膨張部１０が変形するので、無理なく効果的に腹部の膨らみが押さえられる。検査又は手術が終わったら、注入手段３０の空気抜き栓３３を開放し、膨張部１０から空気を抜く。
【００１９】
このように、本実施の形態に係る腹部ベルト１によれば、空気を注入することにより膨らませることが可能な膨張部１０を押し当て部２０に配設し、押し当て部２０を胴体に巻くことにより、膨張部１０を腹部に押し当てることができるようにしたので、例えば、腸内に空気を入れて検査又は手術を行う際に胴体に巻き、膨張部１０に空気を注入することにより、腹部の膨らみに応じて腹部を圧迫し、腹部の膨らみを押さえることができる。よって、腸内に空気を入れて検査又は手術を行う際に、腹部が膨らむことによる痛みを緩和することができ、不快感を緩和することができる。
【００２０】
また、押し当て部２０は、膨張部１０が配設され、胴体に巻き付けられる帯状の巻き付け部２１と、この巻き付け部２１を胴体に巻き付けた状態に固定する固定部２２とを有するように構成し、巻き付け部２１は、本体部２１Ａと、この本体部２１Ａの胴体側に設けられた緩衝部材よりなるクッション部２１Ｂとを有するようにすれば、巻き付け部２１を胴体に巻いた時の付け心地を柔らかく、付け心地をよくすることができる。
【００２１】
更に、固定部２２は、巻き付け部２１の外側から胴体に巻き付けられる帯状の締め付け部２２Ａと、この締め付け部２２Ａの一端側と他端側とを結合する結合部２２Ｂとを有するように構成し、締め付け部２２Ａを巻き付け部２１に対して移動可能に配設するようにすれば、巻き付け部２１を胴体に対して強固に固定することができると共に、結合部２２Ｂを結合しやすい位置に移動させて結合することができる。
【００２２】
以上、実施の形態を挙げて本発明を説明したが、本発明は上記実施の形態に限定されるものではなく、種々変形可能である。例えば、上記実施の形態では、結合部２２を一対の結合バックルにより構成する場合について説明したが、面状ファスナーやフックなどの他の結合手段により構成するようにしてもよい。
【００２３】
また、上記実施の形態では、固定部２２が、巻き付け部２１の外側から胴体に巻き付けられる帯状の絞め付け部２２Ａを有する場合について説明したが、例えば、巻き付け部２１の両端部を延長するように結合部を形成した固定部２２を設けるようにしてもよい。
【産業上の利用可能性】
【００２４】
腸内に空気を入れて検査又は手術を行う際に用いることができる。
【符号の説明】
【００２５】
１…腹部ベルト、１０…膨張部、２０…押し当て部、２１…巻き付け部、２１Ａ…本体部、２１Ｂ…クッション部、２１Ｃ…補強部材、２１Ｄ…挿通部、２２…固定部、２２Ａ…絞め付け部、２２Ｂ…結合部、３０…注入手段、３１…ポンプ、３２…管、３３…空気抜き栓
【要約】
【課題】お腹の膨らみによる痛みを緩和することができる腹部ベルトを提供する。
【解決手段】腹部ベルト１は、腸内に空気を入れて検査又は手術を行う際に、腹部に巻いて用いることができる。腹部ベルト１は、例えば、内部に空気を注入することにより膨らませることが可能な膨張部１０と、この膨張部１０が配設され、膨張部１０を腹部に当てて胴体に巻くことにより、膨張部１０を腹部に対して押し当てる押し当て部２０とを備えている。膨張部１０に空気を注入することにより腹部を圧迫し、腹部の膨らみを押さえる。
【選択図】図１【図１】
0005504371.tif 000002
【図２】
0005504371.tif 000003
【図３】
0005504371.tif 000004